(57)【特許請求の範囲】
【請求項１】
平面視で縦長であり、上面及び下面を有する柱状の清掃部材取付部と、
前記清掃部材取付部の上面に配置され、該清掃部材取付部の平面視における外形よりも大きい外形を有する支持板と、
前記支持板に取り付けられる把持部と、
前記支持板の下面側に配置されると共に、前記清掃部材取付部の形状に対応した切り欠き部又は開口部が形成されたシート押さえ部材と、
前記シート押さえ部材の一部が前記清掃部材取付部の下面よりも下方に位置する開位置と前記シート押さえ部材が前記支持板に当接する閉位置との間で、前記支持板と前記シート押さえ部材とを位置変更可能に同一の回転軸で連結し、前記支持板の長手方向の一端側に配置される連結部と、
前記連結部に配置され、前記支持板及び前記シート押さえ部材を前記閉位置側に付勢する付勢部材と、を備え、
前記シート押さえ部材は、前記連結部よりも該シート押さえ部材の長手方向外側に延出し、該シート押さえ部材の前記支持板に対する位置の変更を行う場合に操作される開閉操作部を更に備え、
前記シート押さえ部材の前記開位置への移動は、前記清掃部材取付部の厚さ方向へ開くように構成される清掃用具。
【請求項２】
前記支持板及び前記シート押さえ部材は、平面視において楕円形状に構成され、
前記把持部は、前記支持板の長手方向の前記一端側に延びる請求項１に記載の清掃用具。
【請求項３】
前記把持部は、前記支持板の上面における略中央部に取り付けられる請求項１又は２に記載の清掃用具。
【請求項４】
前記清掃部材取付部の厚さは、３ｍｍ〜５０ｍｍである請求項１〜３のいずれかに記載の清掃用具。
【発明の詳細な説明】
【技術分野】
【０００１】
本発明は、清掃用具に関する。
【背景技術】
【０００２】
従来、不織布等からなる清掃シートを用いて清掃対象物の清掃対象面を拭き取る場合において、直接、清掃シートに触れることなく清掃対象面を拭き取ることが可能な清掃用具が提案されている。例えば、特許文献１には、清掃シートが巻きつけられる略直方体の紙押え台と、この紙押え台の側面の外側から清掃シートを挟む紙押え部材と、紙押え台の長手方向の一端部から延びる下側柄と、紙押え部材から延びる上側柄と、上側柄の端部と下側柄の端部とを接続するヒンジ部と、を備える清掃用具が提案されている。
【先行技術文献】
【特許文献】
【０００３】
【特許文献１】特開２００５−８１１１２号公報
【発明の概要】
【発明が解決しようとする課題】
【０００４】
しかしながら、特許文献１で提案された清掃用具では、紙押え台の側面側において、紙押え部材が清掃シートの外側に位置するため、紙押え台の側面側を利用して汚れを取り除こうとした場合、紙押え部材が汚れに直接接触し、不衛生であった。
【０００５】
従って、本発明は、清掃シートを挟む部材が汚れに直接接触することを防止し、衛生状態を向上できる清掃用具を提供することを目的とする。
【課題を解決するための手段】
【０００６】
本発明は、上面及び下面を有する柱状の清掃部材取付部と、前記清掃部材取付部の上面に配置され、該清掃部材取付部の平面視における外形よりも大きい外形を有する支持板と、前記支持板に取り付けられる把持部と、前記支持板の下面側に配置されると共に、前記清掃部材取付部の形状に対応した切り欠き部又は開口部が形成されたシート押さえ部材と、前記シート押さえ部材の一部が前記清掃部材取付部の下面よりも下方に位置する開位置と前記シート押さえ部材が前記支持板に当接する閉位置との間で、前記支持板と前記シート押さえ部材とを位置変更可能に連結する連結部と、前記連結部に配置され、前記支持板及び前記シート押さえ部材を前記閉位置側に付勢する付勢部材と、を備える清掃用具に関する。
【０００７】
また、前記支持板及び前記シート押さえ部材は、平面視において楕円形状に構成され、前記把持部は、前記支持板の長手方向の一端側に延び、前記連結部は、前記支持板の長手方向の一端側に配置されることが好ましい。
【０００８】
また、前記把持部は、前記支持板の上面における略中央部に取り付けられることが好ましい。
【０００９】
また、前記シート押さえ部材は、前記連結部から該シート押さえ部材の長手方向に延出し、該シート押さえ部材の前記支持板に対する位置の変更を行う場合に操作される開閉操作部を更に備えることが好ましい。
【００１０】
また、前記清掃部材取付部の厚さは、３ｍｍ〜５０ｍｍであることが好ましい。
【発明の効果】
【００１１】
本発明の清掃用具によれば、清掃シートを挟む部材が汚れに直接接触することを防止でき、衛生状態を向上できる。
【図面の簡単な説明】
【００１２】
【図１】本発明の一実施形態に係る清掃用具を示す斜視図である。
【図２】図１に示す清掃用具の分解斜視図である。
【図３】図１に示す清掃用具にシート状部材を取付けた状態を示す斜視図である。
【図４】図１に示す清掃用具の動作を示す図であり、シート押さえ部材を閉じた状態を示す図である。
【図５】図１に示す清掃用具の動作を示す図であり、シート押さえ部材を開いた状態を示す図である。
【図６】本発明の清掃用具の変形例を示す斜視図である。
【発明を実施するための形態】
【００１３】
以下、本発明の清掃用具の好ましい一実施形態について、図面を参照しながら説明する。
【００１４】
本実施形態の清掃用具１は、図１及び図２に示すように、清掃部材取付部２と、支持板４と、把持部６と、シート押さえ部材５と、連結部７と、付勢部材８と、を備えて構成される。この清掃用具１は、清掃部材取付部２の下面２１及び側面２２にシート状の清掃部材としての清掃シート３を配置した状態で、洗面台及びトイレ等の清掃対象物の清掃対象面を清掃する場合に用いられる。
【００１５】
清掃部材取付部２は、上面２４及び下面２１を有し、略楕円柱（平面視において略楕円）形状に構成されている。
本実施形態では、清掃部材取付部２は、下面２１側に配置されたナイロン不織布と、上面２４側に配置されたウレタンスポンジとを合成樹脂系接着剤により固定させたクッション性を有する材料により形成される。
【００１６】
清掃部材取付部２の厚さは、清掃用具１の使用時に、後述するシート押さえ部材５が汚れることを好適に防ぐ観点から、好ましくは３ｍｍ〜５０ｍｍである。本実施形態では、清掃部材取付部２は、長軸方向ＬＤの長さが６０ｍｍ、短軸方向ＳＤの長さが４０ｍｍ、高さ方向ＨＤの長さが２０ｍｍに構成されている。また、ナイロン不織布は、長軸方向ＬＤの長さが６０ｍｍ、短軸方向ＳＤの長さが４０ｍｍ、高さ方向ＨＤの長さが５ｍｍに構成されており、ウレタンスポンジは、長軸方向ＬＤの長さが６０ｍｍ、短軸方向ＳＤの長さが４０ｍｍ、高さ方向ＨＤの長さが１５ｍｍに構成されている。
【００１７】
清掃シート３は、レーヨンやパルプ等の繊維から抄紙された紙又は不織布により構成されており、水洗トイレに捨てたとき等の多量の水で繊維が分離可能な水解性シートである。この清掃シート３は、水解性又は水膨潤性のＣＭＣ（カルボキシ・メチル・セルロース）等のバインダを含んで構成される。
また、清掃シート３として、不織布に所定の薬液を含浸したものを用いてもよい。不織布に含浸させる薬液成分としては、例えば、水９５％、アルコール４％、防腐剤０．５％、香料０．５％が挙げられる。また、不織布に含浸させる薬液の重量は、好ましくは、不織布の乾燥重量の約１．５倍である。
【００１８】
支持板４は、図１及び図２に示すように、支持板本体４０と、開閉操作補助部４２と、を備える。
支持板本体４０は、略楕円柱（平面視において略楕円形状の立体）形状に構成されており、清掃部材取付部２の上面２４の略中央部に合成樹脂系接着剤により固定されている。この支持板本体４０は、清掃部材取付部２の平面視における外形よりも大きい外形を有している。本実施形態では、支持板本体４０は、長軸方向ＬＤの長さが１００ｍｍ、短軸方向ＳＤの長さが５０ｍｍ、高さ方向ＨＤの長さが１ｍｍに構成されていると共に、支持板本体４０の外縁４５と清掃部材取付部２の外縁２５との離間距離が１０ｍｍに構成されている。
【００１９】
開閉操作補助部４２は、支持板本体４０の長軸方向ＬＤの一端４１に配置されている。この開閉操作補助部４２は、シート押さえ部材５の支持板４に対する位置を近接させる位置又は離間させる位置に変更する場合に操作される。開閉操作補助部４２は、支持板本体４０と一体形成されている。本実施形態では、開閉操作補助部４２は、長軸方向ＬＤの長さが２０ｍｍ、短軸方向ＳＤの長さが２０ｍｍ、高さ方向ＨＤの長さが１ｍｍに構成されている。
【００２０】
支持板４としては、例えば、アクリロニトリルーブタジエンースチレン（ＡＢＳ）、ポリエチレン（ＰＥ）、ポリプロピレン（ＰＰ）等の合成樹脂を射出成形した硬質の合成樹脂材料が用いられる。
【００２１】
把持部６は、図１及び図２に示すように、支持板４の上面４４の中央部付近から支持板４の長手方向としての長軸方向ＬＤの一端４１側に延びる平柄形状に構成されている。把持部６としては、例えば、アクリロニトリルーブタジエンースチレン（ＡＢＳ）、ポリエチレン（ＰＥ）、ポリプロピレン（ＰＰ）等の合成樹脂を射出成形した硬質の合成樹脂材料が用いられる。
本実施形態では、把持部６は、長さが１４０ｍｍ、幅が１５ｍｍ、支持板４の上面４４に対する角度が約３０度〜６０度に構成されている。
【００２２】
シート押さえ部材５は、図１及び図２に示すように、支持板４の下面４６側に配置される。このシート押さえ部材５は、開口部５１と、開閉操作部５２と、を備える。
開口部５１は、清掃部材取付部２の形状に対応した形状に形成されている。本実施形態では、シート押さえ部材５は、平面視において楕円環形状に形成されている。
開閉操作部５２は、シート押さえ部材５の長軸方向ＬＤに延出している。この開閉操作部５２は、シート押さえ部材５の支持板４に対する位置を近接させる位置又は離間させる位置に変更する場合に操作される。
【００２３】
本実施形態では、シート押さえ部材５は、長軸方向ＬＤの長さが１００ｍｍ、短軸方向ＳＤの長さが５０ｍｍ、高さ方向ＨＤの長さが１ｍｍに構成されている。開口部５１は、清掃部材取付部２の平面視における外径よりも一回り大きい楕円形に形成されている。本実施形態では、開口部５１は、長軸方向ＬＤの長さが９４ｍｍ、短軸方向ＳＤの長さが４６ｍｍ、高さ方向ＨＤの長さが１ｍｍに構成されている。開閉操作部５２は、長軸方向ＬＤの長さが２０ｍｍ、短軸方向ＳＤの長さが２０ｍｍ、高さ方向ＨＤの長さが１ｍｍに構成されている。
また、シート押さえ部材５としては、例えば、アクリロニトリルーブタジエンースチレン（ＡＢＳ）、ポリエチレン（ＰＥ）、ポリプロピレン（ＰＰ）等の合成樹脂を射出成形した硬質の合成樹脂材料が用いられる。
【００２４】
連結部７は、支持板４とシート押さえ部材５とを開位置又は閉位置に位置変更可能に連結する。この連結部７は、支持板４の長手方向としての長軸方向ＬＤの一端４１側に配置されている。閉位置は、図４に示すように、シート押さえ部材５の上面５３が支持板本体４０の下面４６に当接又は近接する位置である。開位置は、図５に示すように、シート押さえ部材５の一部が清掃部材取付部２の下面２１よりも下方に位置する位置である。
【００２５】
連結部７は、図１及び図２に示すように、第１軸穴部７６と、第２軸穴部７７と、回転軸７８と、を備える。第１軸穴部７６は、シート押さえ部材５の上面５３における開口部５１と開閉操作部５２との間から支持板４の高さ方向ＨＤに延びて配置されており、回転軸７８が挿入される軸穴を有している。第２軸穴部７７は、支持板４の下面４６における長軸方向ＬＤの一端４１において支持板４の高さ方向ＨＤに延びて配置されており、回転軸７８が挿入される軸穴を有している。回転軸７８は、支持板４の短軸方向ＳＤに延びて配置されており、第１軸穴部７６の軸穴及び第２軸穴部７７の軸穴に挿入されている。
【００２６】
付勢部材８は、連結部７に配置されており、支持板４及びシート押さえ部材５を閉位置側に付勢する。付勢部材８としては、洗濯ばさみ等に利用される金属製ねじりコイルばねが用いられている。
【００２７】
次に、図３〜図５を用いて、清掃用具１に清掃シート３を取り付ける方法について説明する。
まず、清掃用具１に清掃シート３を取り付ける場合、親指を開閉操作補助部４２に当て、人差し指を開閉操作部５２に当てながら開閉操作補助部４２及び開閉操作部５２をつまんで開閉操作補助部４２及び開閉操作部５２を近接させる。すると、付勢部材８の付勢力に抗して、シート押さえ部材５は、図４に示す閉位置から図５に示す開位置に移動する。
【００２８】
次いで、清掃部材取付部２の下面２１に清掃シート３を配置し、清掃シート３の端部側を支持板４の上面４４側に配置する。
【００２９】
次いで、開閉操作補助部４２及び開閉操作部５２をつまむ力を取り除き、シート押さえ部材５を図５に示す開位置から図３に示す閉位置に移動させ、清掃シート３を支持板４の下面とシート押さえ部材５の開口部５１の上面とで挟む。これにより、清掃シート３は、少なくとも清掃部材取付部２の下面２１及び側面２２を覆う位置に配置される。
【００３０】
以上説明した本実施形態の清掃用具１によれば、以下のような作用効果を奏する。
【００３１】
（１）清掃部材取付部２の上面２４に清掃部材取付部２の外形よりも大きい外形を有する支持板４を配置した。また、支持板４の下面４６側にシート押さえ部材５を配置し、連結部７及び付勢部材８により支持板４とシート押さえ部材５と閉位置又は開位置に移動可能に構成した。これにより、清掃シート３が巻き付けられた清掃部材取付部２の側面２２側を利用しても、シート押さえ部材５が汚れに直接接触することがないため、清掃用具１の衛生状態を向上させられる。
【００３２】
（２）支持板４及びシート押さえ部材５を平面視において楕円形状に構成し、把持部６を支持板４の長軸方向ＬＤの一端４１側に延ばした。また、連結部７を支持板４の長軸方向ＬＤの一端４１側に配置した。これにより、シート状部材を巻きつけた清掃部材取付部２を狭い汚れ箇所まで移動させることが容易になると共に、シート状部材を押さえつけるシート押さえ部材５の接触面積を大きくすることができる。
【００３３】
（３）把持部６を、支持板４の上面における略中央部に取り付けた。これにより、清掃部材取付部２の下面に配置された清掃シート３の全面に、好適に力を加えられる。
【００３４】
（４）シート押さえ部材５を、開閉操作部５２を含んで構成した。これにより、シート押さえ部材５の閉位置又は開位置への移動を容易に行える。
【００３５】
（５）清掃部材取付部２の厚さを、３ｍｍ〜５０ｍｍに構成した。これにより、力を加えられた清掃部材取付部２が高さ方向ＨＤに圧縮した場合でもシート押さえ部材５が汚れに直接接触することを防止できる。
【００３６】
以上、本発明の好ましい一実施形態について説明したが、本発明は、上述した実施形態に制限されるものではなく、適宜変更が可能である。
例えば、本実施形態では、シート押さえ部材５を、開口部５１を含んで構成したが、これに限らない。即ち、シート押さえ部材を、このシート押さえ部材の先端側から基端側に向かって切り欠かれて形成され、清掃部材取付部が高さ方向ＨＤに移動可能な切り欠き部を含んで構成してもよい。
【００３７】
また、本実施形態では、支持板４及び把持部６を別部材により構成したが、これに限らない。即ち、支持板及び把持部を一体成形により構成してもよい。
【００３８】
また、本実施形態では、支持板４を、開閉操作補助部４２を含んで構成したが、これに限らない。即ち、図６に示すように、支持板４の一端４１から長軸方向ＬＤに演出するように把持部６を構成してもよい。これにより、把持部６を開閉操作補助部として兼用することができる。
【符号の説明】
【００３９】
１  清掃用具
２  清掃部材取付部
３  清掃シート（シート状部材）
４  支持板
５  シート押さえ部材
６  把持部
７  連結部
８  付勢部材
２１  下面
２２  側面
２４  上面
２５  外縁
４１  一端
４２  開閉操作補助部
４４  上面
４５  外縁
４６  下面
５１  開口部
５２  開閉操作部
５３  下面
７６  第１軸穴部
７７  第２軸穴部
７８  回転軸
ＬＤ  長軸方向
ＳＤ  短軸方向
ＨＤ  高さ方向
【図１】
0005917872.tif 000002
【図２】
0005917872.tif 000003
【図３】
0005917872.tif 000004
【図４】
0005917872.tif 000005
【図５】
0005917872.tif 000006
【図６】
0005917872.tif 000007